(57)【要約】【課題】ブレーキペダルとアクセルペダルの踏み間違いによる事故の防止を図るために、従来のブレーキペダルとアクセルペダルの配置や、操作方法を変更する事なく、踏み間違いしても、操作の延長上で、車両を確実に停止出来る装置を提供する。【解決手段】アクセルペダル１とブレーキペダル１５の間に、独立した連動部材１２を設け、アクセルペダル１が通常の作動範囲では、お互いに干渉せず、アクセルペダル１が通常の作動範囲を超えた時に、アクセルペダル１の踏力を連動部材１２を通じて、ブレーキペダル１５に伝え、ブレーキペダル１５の作動範囲の最後で連動部材１２をロックして、ブレーキがかかった状態で、車両停止状態を保持する。【選択図】図１
2020200011.tif 000002
【特許請求の範囲】
【請求項１】
アクセルペダルとブレーキペダルの間に、独立した連動部材を設け、アクセルペダルが通常の作動範囲を超えた時に、アクセルペダルの踏力を連動部材を介してブレーキペダルに伝えることを特徴とする緊急停止装置。
【請求項２】
ブレーキペダルが連動部材により押された状態で作動端で固定され、ブレーキによる停止状態を維持することを特徴とする緊急停止装置。
【請求項３】
アクセルペダルが、アクセルワイヤーを曳く部分と踏力を伝える部分に分割され、通常は一体に作動しているが、アクセルペダルが通常の作動範囲を超えた時に分離し、アクセルワイヤーを曳く部分はフリーとなり、更に作動が出来ることを特徴とする緊急停止装置。
【発明の詳細な説明】
【技術分野】
【０００１】本発明は自動車のアクセルの構造とブレーキとの連動に関するものである。
【背景技術】
【０００２】従来、ブレーキペダルとアクセルペダルの踏み間違いによる事故を防止する方法として、アクセペダルを中途から分離して、ブレーキペダルを直に押す方法や、レーダーやカメラで、前方の人や物体等、対象物を検知して警報やブレーキの補助をする方法が提案されている。
【先行技術文献】
【特許文献】
【０００３】
【特許文献１】特開２０１３−０３９８８４
【発明の概要】
【発明が解決しようとする課題】
【０００４】ブレーキとアクセルの踏み間違いによる暴走は、運転者がブレーキを踏んでいるとの思い込みによるものが大部分であり、その様な場合、冷静な判断で対応する事が出来ない。
現在、多くの車両に採用されている方法では、前方の人や物体等対象物を検知する方法で、検知出来ない場合は何も対応できず、また、対応速度設定も比較的低速であり、それ以上の高速走行では、事故発生を抑止することはできない。
特許文献１の提案では、障害物の検知にかかわらす、アクセルを踏み込み、限度位置を越えた時、アクセルペダルが分解して、スロットルを戻し、同時に、ブレーキペダルを押す構造であるが、アクセルペダルの分解構造部の部品の精度や、摩耗等により、長期間使用時には、アクセル操作感の変化も起こり、また、停止後にエンジンがかかったままであり、ブレーキを緩めると、再び動き出す恐れもある。
本発明は、上記の課題、「障害物がなければ対応できない」、「長期間使用時のアクセル操作感の変化」と「ブレーキ停止後の再作動」を防止するためになされたものである。
【課題を解決するための手段】
【０００５】上記の目的を達成するために、アクセルペダルとブレーキペダルの間に、連動部材を設け、アクセルペダルが通常の作動範囲を超えた時に、アクセルペダルの後端部で連動部材を押し、回転力をもってブレーキペダルを作動し始める構造とした。
上記アクセルペダルの回転軸と同軸でロックプレートとロック、さらにアクセルワイヤーを引くためのプレートを設け、アクセルペダルが通常の作動範囲では、上記部品がアクセルペダルと一体で作動するが、作動範囲を超えた時に解除ピンにより、ロックが外れ、アクセルワイヤーは戻り、エンジンはアイドリング状態に戻る。
連結部材のアクセル側プレート上端には、ロックツース噛合い部を設けブレーキペダル作動範囲の最後まで押された時に、ベースプレート側のロックツースと噛合い、ブレーキペダルをロックして、車両停止状態を保持する。
【発明の効果】
【０００６】ブレーキペダルとアクセルペダルの踏み間違いが発生してしまった時に、それを是正することはほとんど不可能であるが、そのままアクセルペダルを最後まで踏み込むことにより、ブレーキがかかり、停止出来、事故の発生を防止することが出来る、また、アイドリング状態で停止状態を維持することが出来るので、ハザードランプやライト等はきちんと点灯し、ブレーキアシストも作動するので、二次的な事故も防止できる、また、作動後に、手動により、各ロック部を解除でき、元の状態に復帰し、通常走行に戻ることも出来る。
本発明は、従来の対象物検知方式との組み合わせにより、より高度で、最終的な事故防止装置となる。
【図面の簡単な説明】
【０００７】
【図１】全体の部品構成図、部品の形状と位置関係を示す。
【図２】アクセルペダルの側面図、アクセルペダルを操作していない時のアクセルペダルのアクセルワイヤーを曳く部分と、踏力を伝える部分に固定させる為の構成具品と、連結部材、ブースブラケットとの関係を示す。
【図３】アクセル全開状態の側面図、アクセルを踏み込んで、警告スプリングも押し始めており、ロックプレートが回転し始める瞬間を示す。
【図４】アクセルペダルとアクセルワイヤーの連動解除と、アクセルペダルが連動部材を押し始めた瞬間の側面図。
【図５】アクセルペダルによるブレーキ作動状態の側面図、アクセルワイヤーはフリーになっている。
【図６】無負荷時のブレーキ戻り防止装置の側面図、連動部材は、アクセルペダル・ブレーキペダル共に緩衝しない状態で固定されている。
【図７】緊急停止時の、ブレーキ戻り防止装置の側面図、連動部材とロックツースが噛合い、ブレーキペダルを押した状態で固定される、アクセルワイヤーはフリーになっている、アクセルペダルから脚をはずしても、ブレーキはかかったままである。
【発明を実施するための形態】
【０００８】本発明の実施の形態について、図面を元に説明する、
図１、図２、図３において
・アクセルペダル１とブレーキペダル１５の間に、連動部材１２を配置し、アクセルペダル１を通常の運転操作範囲を超えて更に踏みこんだ時に、アクセルペダル１の力をブレーキペダル１５に伝える。
・アクセルペダル１は踏力を伝える部分とアクセルワイヤー１６を引く部分に分割される。
アクセルワイヤー１６を引く部分は、保持プレート２とそれに支持されるロックプレート３、アクセルワイヤー保護プレート５と押さえスプリング６で構成されている。
通常は、アクセルワイヤー保護プレート５を、押さえスプリング６のバネ力で押さえて、アクセルワイヤー１６を曳いているが、アクセルワイヤー１６に過度の張力が発生すると、アクセルワイヤー保護プレー５が回転して、破断を防止する。
・アクセルペダル１全体を保持するベースブラケット８には、解除ピン１１があり、アクセルペダル１の戻り方向の規制と、アクセルペダル１を踏みこんで行った時に、ロックプレート３の先端部３ｂに当たり回転させる。
・アクセルペダル１とベースブラケット８の間に、警告スプリング１７があり、アクセルワイヤー１６を曳き切る前に、アクセルペダル１で押しこみ始め、急激に上昇するバネ力により、アクセルの作動限界を運転者に検知させる。
連動部材１２のアクセルペダル側には、ロックツース１３との噛合い部分１２が形成され、ベースプレート８側のロックツース１３と噛合うようになっている。
・アクセルペダルとブレーキペダルは必ずしも同軸である必要はない。
次に作動について説明する
図３、図４、図５、図６、図７を参照の事
・通常のアクセル操作時は、アクセルペダル１を踏みこんでいっても、警告バネにより、作動力が急上昇するので、アクセルの限界が分かる。
・通常の運転操作では、アクセルペダル１とブレーキペダル１５は個別に操作出来、お互いの干渉は無い。
・アクセルペダル１を踏んでいる最中に、何らかの事体で減速・停止しようとしてブレーキペダル１５を踏んだつもりが、実は踏み替えが出来ておらず、焦ってさらに強くアクセルペダル１を踏んだが停止出来ず、速度が更に上がってしまうが、アクセルペダル１の通常の操作範囲を超えた時、ロックプレート先端部３ｂがストッパーピン１１に当たり、ロックプレート３が回転し、噛合い歯部３ａとアクセルペダル１の噛合い歯部１ａとの噛合いが解除され、保持プレート２が回転、アクセルワーヤー１５は戻り、アイドリング状態に戻る、ロックプレート３が回転し始めると同時に、アクセルペダル１の後側が連動部材１２を押し、ブレーキペダル１５の前部を押してブレーキをかけ始め、作動域の限界に達した時に、ロックツース１３は連動部材１２のロックツース噛合い部１２ｆと噛合い、ブレーキペダル１５は固定される。
【符号の説明】
【０００９】１      アクセルペダル
１ａ    噛合い溝部
１ｂ    アクセルペダルの回転軸
２      保持プレート
２ａ    支点軸
２ｂ    ストッパー部
３      ロックプレート
３ａ    噛合い歯部
３ｂ    先端部
４      ピン  Ｄ
５      ワイヤ保護プレート
５ａ    回り止めピン
６      押さえスプリング
７      アクセルペダルの戻りスプリング
８      固定ブラケット
９      支点軸ピン
１０    ピン  Ｃ
１１    解除ピン
１２    連動部材
１２ａ  アクセル側プレート
１２ｂ  アクセル受けピン
１２ｃ  連結シャフト
１２ｄ  ブレーキ側プレート
１２ｅ  ブレーキ押しピン
１２ｆ  ロックツース噛合い部
１３    ロックツース
１４    ロックスプリング
１５    ブレーキペダル
１６    アクセルワイヤー
１７    警告スプリング
【図１】
2020200011.tif 000003
【図２】
2020200011.tif 000004
【図３】
2020200011.tif 000005
【図４】
2020200011.tif 000006
【図５】
2020200011.tif 000007
【図６】
2020200011.tif 000008
【図７】
2020200011.tif 000009